(57)【特許請求の範囲】
【請求項１】
少なくとも一つのテスト待機ディスプレイパネルモジュールを挟んで固定することにより、前記テスト待機ディスプレイパネルモジュールを複数の実験受け位置に選択的に調整して固定でき、前記テスト待機ディスプレイパネルモジュールがこれらの前記実験受け位置に固定されているときには、バーンイン実験をそれぞれ行うことができるディスプレイパネルモジュール用多方向バーンイン実験設備において、
実験チェンバーを有し、前記実験チェンバーの温度を実験温度範囲に制御する温度調整制御ボックスと、
少なくとも一つのディスプレイパネルモジュール受け枠と、
ディスプレイパネルモジュール受けロッドに固定され、前記テスト待機ディスプレイパネルモジュールを挟んで固定する少なくとも一つのパネル治具と、
を含み、
前記ディスプレイパネルモジュール受け枠は、
多方向ガイド溝が少なくとも一つ設けられ、前記バーンイン実験を行っているときに、前記実験チェンバー内に固定される少なくとも一つの方向ガイドユニットと、
前記多方向ガイド溝を挿通する少なくとも一つのディスプレイパネルモジュール受けロッドと、
を含み、
前記ディスプレイパネルモジュール受けロッドは前記多方向ガイド溝に沿って移動し、前記パネル治具により、前記テスト待機ディスプレイパネルモジュールがこれらの実験受け方向のうちの一つに挟まれて固定することを特徴とするディスプレイパネルモジュール用多方向バーンイン実験設備。
【請求項２】
更に、自在枠を含み、
前記自在枠は、
前記方向ガイドユニットを固定し、前記バーンイン実験を行っているときに、前記実験チェンバーを閉じる固定ドアと、
前記固定ドアに固定され、前記バーンイン実験を行っているときに、前記温度調整制御ボックス内に移動することにより、前記ディスプレイパネルモジュール受け枠、前記パネル治具、前記テスト待機ディスプレイパネルモジュール及び信号表示実験モジュールを前記実験チェンバー内に位置する少なくとも一つの自在ロッドと、
を含むことを特徴とする、請求項１に記載のディスプレイパネルモジュール用多方向バーンイン実験設備。
【請求項３】
前記固定ドアの下には、更に、受けホイールが少なくとも一つ設けられることを特徴とする、請求項２に記載のディスプレイパネルモジュール用多方向バーンイン実験設備。
【請求項４】
前記ディスプレイパネルモジュール受け枠は、更に、寄掛りロッドを含み、前記寄掛りロッドは、前記方向ガイドユニットに固定され、前記ディスプレイパネルモジュール受けロッドの下に設けられることを特徴とする、請求項１に記載のディスプレイパネルモジュール用多方向バーンイン実験設備。
【請求項５】
前記パネル治具は、
固定筐体と、
第１治具受けフックに嵌め設けられる第１治具と、
複数の治具定位穴のうちの少なくとも一対に選択的に結合できる第２治具と、
を含み、
前記固定筐体は、
前記ディスプレイパネルモジュール受けロッドに固定される筐本体と、
前記筐本体から第１延び方向に沿って延び、且つ前記第１延び方向と反対する第２延び方向に沿って湾折される前記第１治具受けフックと、
前記筐本体から第２延び方向に沿って延び、複数対の前記治具定位穴が設けられる第２治具調整筐体と、
を含むことを特徴とする、請求項１に記載のディスプレイパネルモジュール用多方向バーンイン実験設備。
【請求項６】
前記第１治具と前記第２治具とは、樹脂で作製されたものであることを特徴とする、請求項５に記載のディスプレイパネルモジュール用多方向バーンイン実験設備。
【請求項７】
前記温度調整制御ボックスはオーブンであり、前記実験温度範囲は４５℃〜６０℃であることを特徴とする、請求項１に記載のディスプレイパネルモジュール用多方向バーンイン実験設備。
【請求項８】
更に、駆動装置を含み、前記駆動装置は、前記方向ガイドユニットに隣接する箇所に設けられ、ディスプレイパネルモジュール受けロッドに機械的に連結され、これにより、前記ディスプレイパネルモジュール受けロッドを駆動して前記多方向ガイド溝に沿って移動できることを特徴とする、請求項１に記載のディスプレイパネルモジュール用多方向バーンイン実験設備。
【請求項９】
前記多方向ガイド溝は、Ｌ字形を呈するガイド溝であることを特徴とする、請求項１に記載のディスプレイパネルモジュール用多方向バーンイン実験設備。
【請求項１０】
更に、少なくとも一つの信号表示実験モジュールを含み、前記信号表示実験モジュールは、前記ディスプレイパネルモジュール受け枠に設けられ、前記テスト待機ディスプレイパネルモジュールと電気的に接続することを特徴とする、請求項１に記載のディスプレイパネルモジュール用多方向バーンイン実験設備。
【請求項１１】
前記バーンイン実験を行っているときに、前記信号表示実験モジュールは、埋設式表示ポート（Ｅｍｂｅｄｄｅｄ  Ｄｉｓｐｌａｙ-Ｐｏｒｔ；ＥＤＰ）の信号を前記テスト待機ディスプレイパネルモジュールに入力することを特徴とする、請求項１０に記載のディスプレイパネルモジュール用多方向バーンイン実験設備。
【発明の詳細な説明】
【技術分野】
【０００１】
本発明は、バーンイン実験設備に関し、特に、ディスプレイパネルモジュール用多方向バーンイン実験設備に関するものである。
【背景技術】
【０００２】
現在の電子装置、特に、ディスプレイパネルモジュールを有する電子装置は、複雑の電子計算システムを有することが一般的である。これにより、複雑のシステムソフトウェア及びアプリケーションソフトウェアを計算できる。しかし、計算の内容がどんどん複雑となり、且つ計算を完成する時間がどんどん短くなるため、電子装置のワークロードがどんどん大きくなる。
【０００３】
電子装置のワークロードがどんどん大きくなるため、稼動している各部材の温度もどんどん高くなり、ひいては電子装置の計算効果が降下する。高温状態で稼動しているときに、電子装置を一定の有効性に保持するため、電子装置のモジュール（部材）、仕掛品、又は完成品を対して、より厳しい条件（特に、より高い環境温度やより高い計算周波数）で稼動効果をテストすることが一般的である。これにより、電子装置が充分の稼動安定性を有するかどうかを判断できる。これは、いわゆるバーンイン実験（Ｂｕｒｎ-Ｉｎ  Ｔｅｓｔ）である。
【０００４】
現在の電子装置は、軽薄短小となる傾向が強いため、携帯性がどんどん高くなる。このように、電子装置は多数の放置姿勢で長時間に利用される。例えばタブレットパーソナルコンピュータの場合には、ユーザはタブレットパーソナルコンピュータを直立し、又は横たわって利用する可能性がある。
【０００５】
しかし、現在のバーンイン実験技術は、電子装置のディスプレイパネルモジュールをテストする場合に、ディスプレイパネルモジュールが単一の姿勢でバーンイン実験を行うことが一般的であり、すなわち、ユーザの利用習慣に応じてディスプレイパネルモジュールを複数の姿勢でバーンイン実験を行うことはない。このように、複数の姿勢で電子装置を利用するときには、電子装置が効率的に稼動できるかどうかを全面的に確認できない問題があった。
【発明の概要】
【発明が解決しようとする課題】
【０００６】
本発明の主な目的は、方向ガイドユニット及び治具により、少なくとも一つのテスト待機ディスプレイパネルモジュールを順次に複数のテスト姿勢に固定してバーンイン実験を行うことができるディスプレイパネルモジュール用多方向バーンイン実験設備を提供することにある。
【課題を解決するための手段】
【０００７】
本発明のディスプレイパネルモジュール用多方向バーンイン実験設備によると、少なくとも一つのテスト待機ディスプレイパネルモジュールを挟んで固定することにより、テスト待機ディスプレイパネルモジュールを複数の実験受け位置に選択的に調整して固定でき、テスト待機ディスプレイパネルモジュールがこれらの実験受け位置に固定されているときには、バーンイン実験をそれぞれ行うことができるディスプレイパネルモジュール用多方向バーンイン実験設備において、
実験チェンバーを有し、実験チェンバーの温度を実験温度範囲に制御する温度調整制御ボックスと、
少なくとも一つのディスプレイパネルモジュール受け枠と、
ディスプレイパネルモジュール受けロッドに固定され、テスト待機ディスプレイパネルモジュールを挟んで固定する少なくとも一つのパネル治具と、
を含み、
ディスプレイパネルモジュール受け枠は、
多方向ガイド溝が少なくとも一つ設けられ、バーンイン実験を行っているときに、実験チェンバー内に固定される少なくとも一つの方向ガイドユニットと、
多方向ガイド溝を挿通する少なくとも一つのディスプレイパネルモジュール受けロッドと、
を含み、
ディスプレイパネルモジュール受けロッドは多方向ガイド溝に沿って移動し、パネル治具により、テスト待機ディスプレイパネルモジュールがこれらの実験受け方向のうちの一つに挟まれて固定することを特徴とする。
【０００８】
本発明のディスプレイパネルモジュール用多方向バーンイン実験設備によると、更に、自在枠を含み、
自在枠は、
方向ガイドユニットを固定し、バーンイン実験を行っているときに、実験チェンバーを閉じる固定ドアと、
固定ドアに固定され、バーンイン実験を行っているときに、温度調整制御ボックス内に移動することにより、ディスプレイパネルモジュール受け枠、パネル治具、テスト待機ディスプレイパネルモジュール及び信号表示実験モジュールを実験チェンバー内に位置する少なくとも一つの自在ロッドと、
を含むことを特徴とする。
【０００９】
本発明のディスプレイパネルモジュール用多方向バーンイン実験設備によると、固定ドアの下には、更に、受けホイールが少なくとも一つ設けられることを特徴とする。
【００１０】
本発明のディスプレイパネルモジュール用多方向バーンイン実験設備によると、ディスプレイパネルモジュール受け枠は、更に、寄掛りロッドを含み、寄掛りロッドは、方向ガイドユニットに固定され、ディスプレイパネルモジュール受けロッドの下に設けられることを特徴とする。
【００１１】
本発明のディスプレイパネルモジュール用多方向バーンイン実験設備によると、パネル治具は、
固定筐体と、
第１治具受けフックに嵌め設けられる第１治具と、
複数の治具定位穴のうちの少なくとも一対に選択的に結合できる第２治具と、
を含み、
固定筐体は、
ディスプレイパネルモジュール受けロッドに固定される筐本体と、
筐本体から第１延び方向に沿って延び、且つ第１延び方向と反対する第２延び方向に沿って湾折される第１治具受けフックと、
筐本体から第２延び方向に沿って延び、複数対の治具定位穴が設けられる第２治具調整筐体と、
を含むことを特徴とする。
【００１２】
本発明のディスプレイパネルモジュール用多方向バーンイン実験設備によると、第１治具と第２治具とは、樹脂で作製されたものであることを特徴とする。
【００１３】
本発明のディスプレイパネルモジュール用多方向バーンイン実験設備によると、温度調整制御ボックスはオーブンであり、実験温度範囲は４５℃〜６０℃であることを特徴とする。
【００１４】
本発明のディスプレイパネルモジュール用多方向バーンイン実験設備によると、更に、駆動装置を含み、駆動装置は、方向ガイドユニットに隣接する箇所に設けられ、ディスプレイパネルモジュール受けロッドに機械的に連結され、これにより、ディスプレイパネルモジュール受けロッドを駆動して多方向ガイド溝に沿って移動できることを特徴とする。
【００１５】
本発明のディスプレイパネルモジュール用多方向バーンイン実験設備によると、多方向ガイド溝は、Ｌ字形を呈するガイド溝であることを特徴とする。
【００１６】
本発明のディスプレイパネルモジュール用多方向バーンイン実験設備によると、更に、少なくとも一つの信号表示実験モジュールを含み、信号表示実験モジュールは、ディスプレイパネルモジュール受け枠に設けられ、テスト待機ディスプレイパネルモジュールと電気的に接続することを特徴とする。
【００１７】
本発明のディスプレイパネルモジュール用多方向バーンイン実験設備によると、バーンイン実験を行っているときに、信号表示実験モジュールは、埋設式表示ポート（Ｅｍｂｅｄｄｅｄ  Ｄｉｓｐｌａｙ-Ｐｏｒｔ；ＥＤＰ）の信号をテスト待機ディスプレイパネルモジュールに入力することを特徴とする。
【発明の効果】
【００１８】
本発明のディスプレイパネルモジュール用多方向バーンイン実験設備によれば、方向ガイドユニット及び治具により、少なくとも一つのテスト待機ディスプレイパネルモジュールを順次に複数のテスト姿勢に固定してバーンイン実験を行うことができるという効果を有する。
【図面の簡単な説明】
【００１９】
【図１】本発明の一実施例の構成を示す斜視図である。
【図２】ディスプレイパネルモジュール受け枠とパネル治具により、縦方向に沿うように置かれる実験待機ディスプレイパネルモジュールが直立の実験方向に固定されている状態を示す斜視図である。
【図３】図２におけるＡ区域の拡大図である。
【図４】パネル治具がディスプレイパネルモジュール受け枠のディスプレイパネルモジュール受けロッドと結合している状態を示す斜視図である。
【図５】第２治具を移動することにより、第２治具と第１治具の距離を調整することを示す模式図である。
【図６】ディスプレイパネルモジュール受け枠とパネル治具により、横方向に沿うように置かれる実験待機ディスプレイパネルモジュールが直立の実験方向に固定されている状態を示す斜視図である。
【図７】ディスプレイパネルモジュール受け枠とパネル治具により、実験待機ディスプレイパネルモジュールが横たわりの実験方向に固定されている状態を示す斜視図である。
【発明を実施するための形態】
【００２０】
以下、本発明の実施の形態を図面に基づいて説明する。
まず、図１乃至図４を参照する。図１は、本発明の実施例１の構成を示す斜視図である。図２はディスプレイパネルモジュール受け枠とパネル治具により、縦方向に沿うように置かれる実験待機ディスプレイパネルモジュールが直立の実験方向に固定されている状態を示す斜視図である。図３は図２におけるＡ区域の拡大図である。図４はパネル治具がディスプレイパネルモジュール受け枠のディスプレイパネルモジュール受けロッドと結合している状態を示す斜視図である。
【００２１】
図１に示すように、本発明の一実施例のディスプレイパネルモジュール用多方向バーンイン実験設備１００（以下、「バーンイン実験設備１００」と称し）は、少なくとも一つのテスト待機ディスプレイパネルモジュールを挟んで固定し（本実施例では、複数のテスト待機ディスプレイパネルモジュールを挟んで固定し、図１にはテスト待機ディスプレイパネルモジュール２００、２００ａだけを示す）、これにより、テスト待機ディスプレイパネルモジュール２００、２００ａを複数の実験受け位置に選択的に固定して、バーンイン実験をそれぞれ行うことができる。
【００２２】
バーンイン実験設備１００は、温度調整制御ボックス１と、自在枠２と、少なくとも一つのディスプレイパネルモジュール受け枠（本実施例では、複数のディスプレイパネルモジュール受け枠を含み、図１にはディスプレイパネルモジュール受け枠３だけを示す）と、少なくとも一つのパネル治具（本実施例では、複数のパネル治具を含み、図１にはパネル治具４、４ａだけを示す）と、少なくとも一つの信号表示実験モジュール（本実施例では、複数の信号表示実験モジュールを含み、図１には信号表示実験モジュール５だけを示す）と、を含む。
【００２３】
温度調整制御ボックス１は、実験チェンバー１１を有し、実験チェンバー１１の温度を実験温度範囲に制御する。温度調整制御ボックス１はオーブンであり、テスト待機ディスプレイパネルモジュール２００、２００ａに対してバーンイン実験を行う、実験温度範囲が４５℃〜６０℃であり、時間が約４時間であることが好ましい。
【００２４】
自在枠２は、固定ドア２１と、固定内板２２と、少なくとも一つの自在ロッド（本実施例では、自在ロッド２３、２４を含み）と、少なくとも一つの受けホイール（本実施例では、受けホイール２５、２６を含み）と、を含む。バーンイン実験を行っているときには、固定ドア２１が実験チェンバーを閉じる。自在ロッド２３、２４の両端は、固定ドア２１と固定内板２２とにそれぞれ固定され、バーンイン実験を行っているときに、温度調整制御ボックス１内に移動することにより、ディスプレイパネルモジュール受け枠３、パネル治具４、４ａ、テスト待機ディスプレイパネルモジュール２００、２００ａ及び信号表示実験モジュール５が実験チェンバー１１内に位置する。受けホイール２５、２６は、固定ドア２１の下に設けられ、自在枠２、ディスプレイパネルモジュール受け枠３、パネル治具４、４ａ及び信号表示実験モジュール５などの部材の重量を受ける。
【００２５】
ディスプレイパネルモジュール受け枠３は、少なくとも一つの方向ガイドユニット（本実施例では、方向ガイドユニット３１、３２を含み）と、少なくとも一つのディスプレイパネルモジュール受けロッド（本実施例では、ディスプレイパネルモジュール受けロッド３３、３４を含み）と、二つの寄掛りロッド３５、３６と、を含む。
【００２６】
方向ガイドユニット３１、３２は、固定ドア２１と固定内板２２とにそれぞれ固定される。方向ガイドユニット３１には、少なくとも一つの多方向ガイド溝が設けられ（本実施例では、多方向ガイド溝３１１、３１２が設けられ）、多方向ガイド溝３１１、３１２はＬ字形を呈するガイド溝である。多方向ガイド溝３１１は、定位点Ｐ１から図３に示したガイド経路ＧＰ１（Ｌ字形を呈し）に沿って、別の定位点Ｐ２に延びる。多方向ガイド溝３１２は、定位点Ｐ１´から図３に示したガイド経路ＧＰ２（Ｌ字形を呈し）に沿って、別の定位点Ｐ２´に延びる。また、方向ガイドユニット３１に複数の固定穴が設けられ、図３には固定穴ＦＨだけ（一個）を示した。ディスプレイパネルモジュール受けロッド３４が定位点Ｐ１´に位置しているときには、固定穴ＦＨがディスプレイパネルモジュール受けロッド３４を固定する。
【００２７】
ディスプレイパネルモジュール受けロッド３３に治具結合溝３３１が設けられる。ディスプレイパネルモジュール受けロッド３３の両端には、連接ロッドがそれぞれ設けられる（図３には連接ロッド３３２だけが示され）。治具結合溝３３１には、図４に示すように、パネル治具４を結合でき、連接ロッド３３２が多方向ガイド溝３３１に挿入する。このように、多方向ガイド溝３３１と方向ガイドユニット３１の相対位置及び方位を調整できる。
【００２８】
寄掛りロッド３５、３６の両端は、それぞれ方向ガイドユニット３１、３２に固定され、それぞれディスプレイパネルモジュール受けロッド３３、３４の下に設けられる。これにより、テスト待機ディスプレイパネルモジュール２００、２００ａが図２に示した縦方向で直立の実験受け方向、又は図６に示した横方向で直立の実験受け方向に固定されているときには、パネル治具４、４ａ及びパネル治具４、４ａに挟まれるテスト待機ディスプレイパネルモジュール２００、２００ａは寄掛りロッド３５、３６に寄掛り可能である。
【００２９】
パネル治具４、４ａは、その構成が類似し、又は同じであり、その相違する点は、それぞれディスプレイパネルモジュール受けロッド３３、３４に組み付けられ、これにより、その設置の方向及び位置が若干に異なることにある。これを前提として、パネル治具４だけについて具体的に説明する。
【００３０】
図４を参照する。パネル治具４は、固定筐体４１と、第１治具４２と、第２治具４３と、連結定位ブロック４４と、を含む。固定筐体４１は、筐本体４１１と、第１治具受けフック４１２と、第２治具調整筐体４１３と、を含む。筐本体４１１は、ディスプレイパネルモジュール受けロッド３３の治具結合溝３３１に固定される。第１治具受けフック４１２は、筐本体４１１から第１延び方向Ｉ１に沿って延び、且つ第１延び方向Ｉ１と反対する第２延び方向Ｉ２に沿って湾折される。第２治具調整筐体４１３は、筐本体４１１から第２延び方向Ｉ２に沿って延び、複数対の治具定位穴が設けられる（本実施例では、治具定位穴４１３１、４１３１ａ及び治具定位穴４１３２、４１３２ａが設けられ）。
【００３１】
第１治具４２は、第１治具受けフック４１２に嵌め設けられ、樹脂、テフロン（登録商標）（Ｔｅｆｌｏｎ）、又は若干の剛性を有しテスト待機ディスプレイパネルモジュール２００に傷付けない材料で作製される。第２治具４３は、樹脂、テフロン（登録商標）（Ｔｅｆｌｏｎ）、又は若干の剛性を有しテスト待機ディスプレイパネルモジュール２００に傷付けない材料で作製され、少なくとも一対の治具定位穴に選択的に合せることができ、連結定位ブロック４４の突起、ピン、又は螺子を、合せられる治具定位穴に挿入して第２治具４３に締結することにより、第２治具４３は少なくとも一対の治具定位穴に選択的に結合できる。
【００３２】
図４を参照する。パネル治具４は、操作されてテスト待機ディスプレイパネルモジュール２００を挟むためのものであり、テスト待機ディスプレイパネルモジュール２００を図２に示した縦方向で直立の実験受け方向に固定させる。この場合には、第１治具４２と第２治具４３の間に、テスト待機ディスプレイパネルモジュール２００を縦方向で直立の姿勢で放置して、位置がより高い治具定位穴４１３２、４１３２ａに第２治具４３を合せて、連結定位ブロック４４によって固定する。このように、テスト待機ディスプレイパネルモジュール２００を縦方向で直立の実験受け方向（図２に示し）に有効に挟んで固定できる。
【００３３】
本実施例では、各パネル治具の近傍には、前記信号表示実験モジュールが設けられ、図１に示すように、パネル治具４の近傍に信号表示実験モジュール５が設けられる。信号表示実験モジュール５は、ディスプレイパネルモジュール受け枠３に設けられ、それに対応するテスト待機ディスプレイパネルモジュール２００と電気的に接続する。一般的に、信号表示実験モジュール５は、コネクタと、信号転送子と、から構成される。バーンイン実験を行っているときには、信号表示実験モジュール５は、表示信号をテスト待機ディスプレイパネルモジュールに入力する。前記表示信号は、埋設式表示ポート（Ｅｍｂｅｄｄｅｄ  Ｄｉｓｐｌａｙ-Ｐｏｒｔ；ＥＤＰ）の信号でもよい。
【００３４】
本発明では、テスト待機ディスプレイパネルモジュール２００を縦方向で直立の実験受け方向に挟んで固定できる他、テスト待機ディスプレイパネルモジュール２００を、横方向で直立、横たわり、又はその他の実験受け方向に挟んで固定できる。本発明の実施例では、テスト待機ディスプレイパネルモジュール２００を、縦方向で直立、横方向で直立及び横たわりの実験受け方向に挟んで固定して、バーンイン実験を行うことを薦める。バーンイン実験を行う時間は約４時間である。
【００３５】
これを前提として、テスト待機ディスプレイパネルモジュール２００を、横方向で直立と横たわりとの実験受け方向に挟んで固定して、バーンイン実験を行うことについて、具体的に説明する。図５及び図６を参照する。図５は、第２治具を移動することにより、第２治具と第１治具の距離を調整することを示す模式図である。図６は、ディスプレイパネルモジュール受け枠とパネル治具により、横方向に沿うように置かれる実験待機ディスプレイパネルモジュールが直立の実験方向に固定されている状態を示す斜視図である。
【００３６】
図５を参照する。図６に示したテスト待機ディスプレイパネルモジュール２００を横方向で直立の実験受け方向に挟んで固定したいときには、第１治具４２と第２治具４３の間に、図６に示したテスト待機ディスプレイパネルモジュール２００を横方向で直立の姿勢で放置して、第２治具４３を移動することにより、第１治具４２と第２治具４３の距離を調整して、第２治具４３が位置のより低い治具定位穴４１３１、４１３１ａに合せると、連結定位ブロック４４によって固定する。これにより、図６に示すように、テスト待機ディスプレイパネルモジュール２００を横方向で直立の実験受け方向に有効に挟んで固定できる。
【００３７】
また、図３及び図７を参照する。図７はディスプレイパネルモジュール受け枠とパネル治具により、実験待機ディスプレイパネルモジュールが横たわりの実験方向に固定されている状態を示す斜視図である。テスト待機ディスプレイパネルモジュール２００を横方向で直立の実験受け方向に挟んで固定して、バーンイン実験を行った後、ディスプレイパネルモジュール受けロッド３３を移動することにより、ディスプレイパネルモジュール受けロッド３３の連接ロッド３３２は、多方向ガイド溝３１１にガイドされて、定位点Ｐ１から図３に示したガイド経路ＧＰ１（Ｌ字形を呈し）に沿って移動して、別の定位点Ｐ２に到着し、そしてディスプレイパネルモジュール受けロッド３４の連接ロッド（符号なし）は、多方向ガイド溝３１２にガイドされて、定位点Ｐ１´から図３に示したガイド経路ＧＰ２（Ｌ字形を呈し）に沿って移動して、別の定位点Ｐ２´に到着する。このとき、パネル治具４、４ａにより、テスト待機ディスプレイパネルモジュール２００、２００ａがそれぞれ横たわりの実験受け方向に挟まれて固定する。
【００３８】
図３に示すように、定位点Ｐ２と定位点Ｐ２´の間に高度差ΔＨが存在するため、ディスプレイパネルモジュール受けロッド３３の連接ロッド３３２を定位点Ｐ２に移動して、ディスプレイパネルモジュール受けロッド３４の連接ロッド（符号なし）を定位点Ｐ２´に移動した後、ディスプレイパネルモジュール受けロッド３３とディスプレイパネルモジュール受けロッド３４の間には、高度差ΔＨと同じ距離が存在する。これにより、テスト待機ディスプレイパネルモジュール２００、２００ａを横たわりの実験受け方向に挟んで固定しているときには、テスト待機ディスプレイパネルモジュール２００、２００ａの鉛直方向でのずれはほぼ高度差ΔＨと同じである。
【００３９】
一方、上記の実施例では、ディスプレイパネルモジュール受けロッド３３の連接ロッド３３２を駆動して多方向ガイド溝３１１を移動することについて、具体的に説明しないが、方向ガイドユニット３１及び/又は３２の近傍に駆動装置（図示せず）を設けて、ディスプレイパネルモジュール受けロッド３３、３４に前記駆動装置を機械的に連結することにより、ディスプレイパネルモジュール受けロッド３３、３４を駆動して、それぞれ多方向ガイド溝３１１、３１２のガイド経路ＧＰ１、ＧＰ２（Ｌ字形を呈し）を移動することを薦める。
【００４０】
上記の説明から明らかなように、本発明のバーンイン実験設備１００は、方向ガイドユニット（例えば方向ガイドユニット３１、３２など）及び治具（例えばパネル治具４、４ａなど）により、各種類のテスト標準に要求される複数の実験受け方向（例えば縦方向で直立、横方向で直立、又は横たわりの実験受け方向）に、少なくとも一つのテスト待機ディスプレイパネルモジュール（例えばテスト待機ディスプレイパネルモジュール２００、２００ａなど）を固定してバーンイン実験を行うことができる。このように、本発明のバーンイン実験設備１００によれば、ユーザの利用習慣に応じてディスプレイパネルモジュールを複数の姿勢でバーンイン実験を行うことができる。
【００４１】
このように、本発明が、特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００４２】
１：温度調整制御ボックス
２：自在枠
３：ディスプレイパネルモジュール受け枠
４，４ａ：パネル治具
５：信号表示実験モジュール
１１：実験チェンバー
２１：固定ドア
２２：固定内板
２３，２４：自在ロッド
２５，２６：受けホイール
３１，３２：方向ガイドユニット
３３，３４：ディスプレイパネルモジュール受けロッド
３５，３６：寄掛りロッド
４１：固定筐体
４２：第１治具
４３：第２治具
４４：連結定位ブロック
１００：バーンイン実験設備
２００，２００ａ：テスト待機ディスプレイパネルモジュール
３１１，３１２：多方向ガイド溝
３３１：治具結合溝
３３２：連接ロッド
４１１：筐本体
４１２：第１治具受けフック
４１３：第２治具調整筐体
４１３１，４１３１ａ，４１３２，４１３２ａ：治具定位穴
ＦＨ：固定穴
ＧＰ１，ＧＰ２：ガイド経路
Ｉ１：第１延び方向
Ｉ２：第２延び方向
Ｐ１，Ｐ１´，Ｐ２，Ｐ２´：定位点
ΔＨ：高度差
【産業上の利用可能性】
【００４３】
本発明は、多方向バーンイン実験設備に適用することができる。
【図１】
0005299931.tif 000002
【図２】
0005299931.tif 000003
【図３】
0005299931.tif 000004
【図４】
0005299931.tif 000005
【図５】
0005299931.tif 000006
【図６】
0005299931.tif 000007
【図７】
0005299931.tif 000008